(57)【要約】【課題】装置全体をコンパクトにしつつ、同一の部材で構成される２つのダンパを開閉体の幅方向における両側に取り付けることができる支持装置を提供する。【解決手段】支持装置は、便座または便蓋として構成される開閉体を本体に対して回動可能に支持し、開閉体の幅方向における両端部に取り付けられて開閉体に対して閉方向に抵抗力を付与する２つのダンパを備える。２つのダンパは、それぞれ、ハウジングとロータとシャフトとを備え、ロータは、軸方向における両端部に、それぞれシャフトの他端部を差し込み可能な差し込み式の連結部を有する。そして、２つのダンパは、それぞれのシャフトの一端部がそれぞれのロータの両端部のうち逆側の端部に連結されることで、それぞれのシャフトの取付方向が逆方向となるように取り付けられる。【選択図】図５
2020065801.tif 000002
【特許請求の範囲】
【請求項１】
便座または便蓋として構成される開閉体を本体に対して回動可能に支持する支持装置であって、
前記本体と前記開閉体とのうち一方に固定されるハウジングと、前記ハウジング内に回動可能に設けられるロータと、一端部が前記ロータに同軸に連結されると共に他端部が前記本体と前記開閉体とのうち他方に取り付けられるシャフトと、を有し、前記開閉体の幅方向における両端部に取り付けられて該開閉体に対して閉方向に抵抗力を付与する第１ダンパおよび第２ダンパを備え、
前記ロータは、軸方向における両端部に、それぞれ前記シャフトの一端部を差し込み可能な差し込み式の連結部を有し、
前記第１ダンパおよび前記第２ダンパは、それぞれの前記シャフトの一端部がそれぞれの前記ロータの前記両端部のうち逆側の端部に連結されることで、それぞれの前記シャフトの取付方向が逆方向となるように取り付けられる、
ことを特徴とする支持装置。
【請求項２】
請求項１に記載の支持装置であって、
前記開閉体の幅方向における中間部に取り付けられて該開閉体に対して閉方向に抵抗力を付与する第３ダンパを備え、
前記第１ダンパおよび前記第２ダンパは、バネダンパおよび流体ダンパのうちの一方であり、
前記第３ダンパは、前記バネダンパおよび前記流体ダンパのうちの他方である、
支持装置。
【請求項３】
請求項２に記載の支持装置であって、
前記第１ダンパおよび前記第２ダンパは、前記バネダンパであり、
前記第３ダンパは、前記流体ダンパである、
支持装置。
【請求項４】
請求項１ないし３いずれか１項に記載の支持装置であって、
前記ロータおよび前記シャフトは、それぞれ周方向に交互に配列された複数条のスプライン歯およびスプライン溝を有する樹脂製の部材であり、互いにスプライン嵌合により連結される、
支持装置。
【請求項５】
請求項４に記載の支持装置であって、
前記ロータおよび前記シャフトは、前記複数条のスプライン歯およびスプライン溝のうちの一部のスプライン歯の歯厚またはスプライン溝の溝幅が他のスプライン歯またはスプライン溝とは異なるように形成される、
支持装置。
【発明の詳細な説明】
【技術分野】
【０００１】
本発明は、便座や便蓋として構成される開閉体を本体に対して回動可能に支持する支持装置に関する。
【背景技術】
【０００２】
従来、この種の支持装置としては、同一形状および構造の２つのダンパ装置を便座や便蓋などの回動部材の左右に取り付けたものが提案されている（例えば、特許文献１参照）。ダンパ装置は、ケース部材と、回動部材の回動支点となる支持軸と係合して一体回転するロータと、回動部材の所定方向の回動を緩衝する緩衝手段と、を備える。ロータには、軸方向に貫通する挿入孔が設けられる。支持軸は、挿通孔に挿通されてケース部材の左右両側から突出するようにロータを軸方向に貫通する。これにより、同じダンパ装置を左右に使用したときに、回動部材に対して支持軸を入れる方向が左右で異なっているときでも、支持軸の挿入が可能となり、左右同一形状のダンパ装置の使用が可能となる。
【先行技術文献】
【特許文献】
【０００３】
【特許文献１】特開２００１−５４４９０号公報
【発明の概要】
【発明が解決しようとする課題】
【０００４】
しかしながら、上述した支持装置では、支持軸がケース部材の左右両側から突出しているため、その分広い搭載スペースを必要とする。また、ケース部材の左右両側から突出する支持軸のうち片側は不要であるため、重量増やコスト増を招いてしまう。
【０００５】
本発明の支持装置は、装置全体をコンパクトにしつつ、同一の部材で構成される２つのダンパを開閉体の幅方向における両側に取り付けることができる支持装置を提供することを主目的とする。
【課題を解決するための手段】
【０００６】
本発明の支持装置は、上述の主目的を達成するために以下の手段を採った。
【０００７】
本発明の支持装置は、
便座または便蓋として構成される開閉体を本体に対して回動可能に支持する支持装置であって、
前記本体と前記開閉体とのうち一方に固定されるハウジングと、前記ハウジング内に回動可能に設けられるロータと、一端部が前記ロータに同軸に連結されると共に他端部が前記本体と前記開閉体とのうち他方に取り付けられるシャフトと、を有し、前記開閉体の幅方向における両端部に取り付けられて該開閉体に対して閉方向に抵抗力を付与する２つのダンパを備え、
前記ロータは、軸方向における両端部に、それぞれ前記シャフトの一端部を差し込み可能な差し込み式の連結部を有し、
前記２つのダンパは、それぞれの前記シャフトの一端部がそれぞれの前記ロータの前記両端部のうち逆側の端部に連結されることで、それぞれの前記シャフトの取付方向が逆方向となるように取り付けられる、
ことを要旨とする。
【０００８】
この本発明の支持装置は、便座または便蓋として構成される開閉体を本体に対して回動可能に支持するものであり、開閉体の幅方向における両端部に取り付けられて開閉体に対して閉方向に抵抗力を付与する２つのダンパ（第１ダンパおよび第２ダンパ）を備える。２つのダンパは、それぞれ、ハウジングとロータとシャフトとを備え、ロータの軸方向における両端部には、それぞれシャフトの他端部を差し込み可能な差し込み式の連結部が形成される。これにより、ロータに対するシャフトの連結位置を入れ替えるだけで、同一の部材で構成される２つのダンパを、開閉体の幅方向における両端部に取り付けることができる。このとき、２つのダンパのシャフトが連結されていない方には突出物がないため、装置をよりコンパクトにすることができる。この結果、装置全体をコンパクトにしつつ、同一の部材で構成される２つのダンパを開閉体の幅方向における両側に取り付けることができる支持装置とすることができる。
【０００９】
こうした本発明の支持装置において、前記開閉体の幅方向における中間部に取り付けられて該開閉体に対して閉方向に抵抗力を付与する第３ダンパを備え、前記第１ダンパおよび前記第２ダンパは、バネダンパおよび流体ダンパのうちの一方であり、前記第３ダンパは、前記バネダンパおよび前記流体ダンパのうちの他方であるものとしてもよい。こうすれば、開閉体の幅方向における両端部に設けられる２つのダンパ（第１ダンパおよび第２ダンパ）と、中間部に設けられる第３ダンパとにより、トルクを分散させることができ、各ダンパの負荷荷重を低減することができる。また、開閉体の幅方向における両端部に、同一の部材で構成される２つのダンパが取り付けられることで、開閉体の両端部に同一の抵抗力を作用させることができ、開閉体にねじれが生じるのを抑制することができる。ここで、前記第１ダンパおよび前記第２ダンパは、前記バネダンパであり、前記第３ダンパは、前記流体ダンパであるものとしてもよい。
【００１０】
また、本発明の支持装置において、前記ロータおよび前記シャフトは、それぞれ周方向に交互に配列された複数条のスプライン歯およびスプライン溝を有する樹脂製の部材であり、互いにスプライン嵌合により連結されるものとしてもよい。こうすれば、開閉体のヒンジ部でのがたつきを抑制することができる。また、ロータおよびシャフトは、樹脂製により形成されるから、成形が容易でコストを低減することができる。この場合、前記ロータおよび前記シャフトは、前記複数条のスプライン歯およびスプライン溝のうちの一部のスプライン歯の歯厚またはスプライン溝の溝幅が他のスプライン歯またはスプライン溝とは異なるように形成されるものとしてもよい。こうすれば、ロータにシャフトを連結する際の位相合わせをより容易にすることができる。
【図面の簡単な説明】
【００１１】
【図１】便座装置１０が取り付けられた便器１の外観図である。
【図２】本実施形態の支持装置２０を含む便座装置１０の外観図である。
【図３】シャフト３５がロータの一端側に連結されたアシストダンパ３０の外観図である。
【図４】シャフト３５がロータの他端側に連結されたアシストダンパ３０の外観図である。
【図５】図３のアシストダンパ３０の分解斜視図である。
【図６】図４のアシストダンパ３０の分解斜視図である。
【図７】ロータの連結部を示す説明図である。
【図８】シャフトの連結部を示す説明図である。
【発明を実施するための形態】
【００１２】
本発明を実施するための形態について図面を参照しながら説明する。
【００１３】
図１は便座装置１０が取り付けられた便器１の外観図であり、図２は便座装置１０を背面側から見た外観図である。図３および図４は、アシストダンパ３０の外観図であり、図５および図６は、アシストダンパ３０の分解斜視図である。
【００１４】
便器１は、図１に示すように、洋式便器であり、便器１の上面に便座装置１０が設置される。便座装置１０は、便器１の上面における後方に固定された便座装置本体１１と、便座装置本体１１に対して本実施形態の支持装置２０を介して開閉可能に支持された便座１２と、を備える。便座装置１０は、本実施形態では、便座１２を覆うための便蓋を備えない便蓋レスの便座装置として構成される。
【００１５】
本実施形態の支持装置２０は、図２に示すように、便座１２を便座装置本体１１に対して回動可能に支持すると共に便座１２が勢いよく閉じないように便座１２の閉方向の回動を緩やかにするための３つのダンパを備える。３つのダンパは、本実施形態では、便座１２の幅方向における中央部（中間部）に設けられた１つのメインダンパ２１と、便座１２の幅方向における両端部に設けられた２つのアシストダンパ３０と、からなる。
【００１６】
メインダンパ２１は、周知の流体ダンパであり、便座装置本体１１に固定されると共に内部に粘性流体が充填される流体室を有するハウジングと、一端部がハウジングの流体室内に配置されると共に他端部がハウジングから軸方向に突出して便座１２に取り付けられるシャフトと、を備える。メインダンパ２１は、流体の粘性抵抗による抵抗力に加えて、便座１２が閉じ位置に近づくにつれてシャフトの一端部がハウジングの内壁面を摺動し、摩擦抵抗による抵抗力が便座１２の閉方向に付与されるように構成される。
【００１７】
２つのアシストダンパ３０は、共に同一のパーツで構成され、便座１２に対して閉方向の付勢力を付与するバネダンパである。２つのアシストダンパ３０は、図３〜図６に示すように、便座装置本体１１に固定されたハウジング３１と、ハウジング３１内に回動可能に設けられたロータ３２と、ロータ３２に挿通されてロータ３２を回動方向に付勢するねじりバネ３３と、ロータ３２に同軸に連結されると共にハウジング３１から突出して便座１２に取り付けられるシャフト３５と、を備える。
【００１８】
ハウジング３１は、一端側が開口した有底円筒状のケース３１１と、ケース３１１の開口端を覆うようにケース３１１にねじ３１３により固定されるキャップ３１２と、を有する。ケース３１１の底部の中央とキャップ３１２の中央には、孔３１１ｏ，３１２ｏが形成されている。
【００１９】
ロータ３２は、例えば射出成形により形成された樹脂製の軸状部材であり、軸方向における両端部にそれぞれシャフト３５を連結するための連結部３２１，３２２を有する。一端側の連結部３２１は、図７（ａ）に示すように、円筒状に形成され、当該連結部３２１の内周面には、周方向に交互に配列された複数条のスプライン歯３２１ａとスプライン溝３２１ｂとが形成されている。他端側の連結部３２２も、図７（ｂ）に示すように、連結部３２１と同一の円筒状に形成され、当該連結部３２２の内周面には、連結部３２１と同一の複数条のスプライン歯３２２ａとスプライン溝３２２ｂとが形成されている。本実施形態では、連結部３２１，３２２にそれぞれ形成された複数条のスプライン溝３２１ｂ，３２２ｂのうちの一つのスプライン溝は、溝幅が他のスプライン溝よりも広く形成された広幅溝３２１ｃ，３２２ｃとなっている。
【００２０】
ねじりバネ３３は、一方のバネ足がハウジング３１（ケース３１１）に係止され、他方のバネ足がロータ３２に係止されており、便座１２が開方向に付勢されるようにロータ３２に回動方向の付勢力を付与する。これにより、アシストダンパ３０は、ねじりバネ３３の付勢力によって便座１２に閉方向の抵抗力を付与することができる。
【００２１】
シャフト３５は、例えば射出成形により形成された樹脂製の軸状部材であり、軸方向における一端側には便座１２に取り付けられる取付部３５１が形成され、他端側にはロータ３２の連結部３２１，３２２に連結される連結部３５２が形成されている。取付部３５１は、本実施形態では、二面幅によって形成されている。連結部３５２は、円柱状に形成されており、図８に示すように、当該連結部３５２の外周面には、周方向に交互に配列された複数条のスプライン歯３５２ａとスプライン溝３５２ｂとが形成されている。これにより、シャフト３５は、ロータ３２の左右の両連結部３２１，３２２のうちいずれに対しても、連結部３５２を差し込むことで、スプライン嵌合により連結することが可能である。本実施形態では、シャフト３５の連結部３５２に形成された複数条のスプライン歯３５２ａのうち一つのスプライン歯は、上述した広幅溝３２１ｃ，３２２ｃと嵌合可能に、歯厚が他のスプライン歯よりも大きく形成された大厚歯３５２ｃとなっている。シャフト３５の複数条のスプライン歯３５２ａのうち大厚歯３５２ｃは、ロータ３２の複数条のスプライン溝３２１ｂ，３２２ｂのうち広幅溝３２１ｃ，３２２ｃ以外の他のスプライン溝と噛み合うことができないため、シャフト３５をロータ３２に連結する際のロータ３２に対するシャフト３５の位相合わせを容易に行なうことができる。なお、本実施形態では、ロータ３２側に広幅溝３２１ｃ，３２２ｃを形成し、シャフト３５側に大厚歯３５２ｃを形成するものとしたが、逆に、ロータ側に大厚歯を形成し、シャフト側に広幅溝を形成してもよい。
【００２２】
こうして構成されたアシストダンパ３０では、シャフト３５の連結部３５２をロータ３２の軸方向における一方側の連結部３２１に連結した場合、図３に示すように、シャフト３５は、ケース３１１の孔３１１ｏを貫通した状態でハウジング３１から図中、左方へ突出する。また、シャフト３５の連結部３５２をロータ３２の軸方向における他方側の連結部３２２に連結した場合、図４に示すように、シャフト３５は、キャップ３１２の孔３１２ｏを貫通した状態でハウジング３１から図中、右方へ突出する。これにより、図２に示すように、同一のパーツで構成された２つのアシストダンパ３０のそれぞれのシャフト３５を、それぞれのハウジング３１から左右外側に突出させて、便座後方の側壁部１２ｓにおける内面に取り付けることができる。このとき、ハウジング３１のシャフト３５が連結されていない方は、突出物がないため、省スペース化を図ることができる。
【００２３】
以上説明した本実施形態の支持装置２０では、便座１２の左右両側に同一のパーツで構成された２つのダンパ（アシストダンパ３０）を備えるものにおいて、２つのダンパは、便座装置本体１１に取り付けられるハウジング３１と、ハウジング３１内に設けられるロータ３２と、一端部（連結部３５２）がロータ３２に同軸に連結されると共に他端部（取付部３５１）が便座１２に取り付けられるシャフト３５と、を備える。ロータ３２の軸方向における両端部には、それぞれシャフト３５の一端部（連結部３５２）を差し込み可能な連結部３２１，３２２が形成される。これにより、ロータ３２に対するシャフト３５の連結位置を左右で入れ替えるだけで、同一のパーツで構成される２つのダンパを、便座１２の左右両側に取り付けることができる。このとき、２つのダンパのシャフト３５が連結されていない方には突出物がないため、装置をよりコンパクトにすることができる。この結果、装置全体をコンパクトにしつつ、同一の部材で構成される２つのダンパを開閉体の幅方向における両側に取り付けることができる支持装置とすることができる。
【００２４】
また、本実施形態の支持装置２０では、便座１２の中央部に取り付けられる１つのメインダンパ２１を備え、２つのアシストダンパ３０は、バネダンパとして構成され、メインダンパ２１は、流体ダンパとして構成される。これにより、１つのメインダンパ２１と２つのアシストダンパ３０とにより、トルクを分散させることができるため、各ダンパの負荷荷重を低減することができる。また、便座１２の左右両側には、同一のパーツで構成された２つのダンパ（アシストダンパ３０）が取り付けられ、便座１２の左右両側には同一の抵抗力が作用するため、便座１２にねじれが生じるのを抑制することができる。
【００２５】
さらに、本実施形態の支持装置２０では、ロータ３２およびシャフト３５は、それぞれ周方向に交互に配列された複数条のスプライン歯およびスプライン溝を有して、互いにスプライン嵌合により連結されるため、便座１２のがたつきを抑制することができる。また、ロータ３２およびシャフト３５は、樹脂製により形成されるから、成形が容易でコストを低減することができる。さらに、ロータ３２およびシャフト３５は、複数条のスプライン歯およびスプライン溝のうちの一部のスプライン歯の歯厚またはスプライン溝の溝幅が他のスプライン歯またはスプライン溝とは異なるように形成されるため、ロータ３２にシャフト３５を連結する際の位相合わせをより容易にすることができる。
【００２６】
上述した実施形態では、ハウジング３１が便座装置本体１１に固定されると共にシャフト３５が便座１２に取り付けられるものとしたが、シャフト３５が便座装置本体１１に取り付けられると共にハウジング３１が便座１２に固定されてもよい。
【００２７】
上述した実施形態では、ロータ３２とシャフト３５とはスプライン嵌合により同軸に連結されるものとしたが、これに限定されるものではなく、例えば、連結部を二面幅により構成するなど、ロータに対してシャフトを差し込んで同軸に連結可能なものであれば、如何なる連結構造を採用するものとしてもよい。
【００２８】
上述した実施形態では、便座１２の幅方向における中央部に１つの流体ダンパ（メインダンパ２１）を配置し、便座１２の幅方向における両端部に２つのバネダンパ（アシストダンパ３０）を配置するものとした。しかし、便座１２の幅方向における両端部に２つの流体ダンパを配置し、便座１２の幅方向における中央部に１つのバネダンパを配置するものとしてもよい。この場合、２つの流体ダンパのロータおよびシャフトを、本実施形態のバネダンパ（アシストダンパ３０）のロータ３２およびシャフト３５と同様の連結構造を用いて構成すればよい。
【００２９】
上述した実施形態では、支持装置２０は、便座１２の幅方向における中央部（中間部）と両端部に計３つのダンパを備えるものとしたが、中央部にはダンパを備えないものとしてもよい。
【００３０】
上述した実施形態では、支持装置２０を、便蓋レスの便座装置１０における便座１２の開閉を支持するものに適用したが、便座を覆うように本体に対して開閉可能に設けられた便蓋を備える便座装置における便座や便蓋の開閉を支持するものに適用するものとしてもよい。
【００３１】
実施形態の主要な要素と課題を解決するための手段の欄に記載した発明の主要な要素との対応関係について説明する。実施形態では、便座装置本体１１が「本体」に相当し、便座１２が「開閉体」に相当し、２つのアシストダンパ３０が「第１ダンパおよび第２ダンパ」に相当し、ケース３１１とキャップ３１２とを含むハウジング３１が「ハウジング」に相当し、ロータ３２が「ロータ」に相当し、連結部３２１，３２２が「連結部」に相当し、シャフト３５が「シャフト」に相当する。また、メインダンパ２１が「第３ダンパ」に相当する。
【００３２】
なお、実施形態の主要な要素と課題を解決するための手段の欄に記載した発明の主要な要素との対応関係は、実施形態が課題を解決するための手段の欄に記載した発明を実施するための形態を具体的に説明するための一例であることから、課題を解決するための手段の欄に記載した発明の要素を限定するものではない。即ち、課題を解決するための手段の欄に記載した発明についての解釈はその欄の記載に基づいて行なわれるべきものであり、実施形態は課題を解決するための手段の欄に記載した発明の具体的な一例に過ぎないものである。
【００３３】
以上、本発明を実施するための形態について実施形態を用いて説明したが、本発明はこうした実施形態に何等限定されるものではなく、本発明の要旨を逸脱しない範囲内において、種々なる形態で実施し得ることは勿論である。
【産業上の利用可能性】
【００３４】
本発明は、支持装置の製造産業などに利用可能である。
【符号の説明】
【００３５】
１  便器、１０  便座装置、１１  本体、１２  便座、１２ｓ  側壁部、２０  支持装置、２１  メインダンパ、３０  アシストダンパ、３１  ハウジング、３２  ロータ、３３  ねじりバネ、３５  シャフト、３１１  ケース、３１１ｏ  孔、３１２  キャップ、  ３１２ｏ  孔、３１３  ねじ、３２１，３２２  連結部、３２１ａ，３２２ａ  スプライン歯、３２１ｂ，３２２ｂ  スプライン溝、３２１ｃ，３２２ｃ  広幅溝、３５１  取付部、３５２  連結部、３５２ａ  スプライン歯、３５２ｂ  スプライン溝、３５２ｃ  大厚歯。
【図１】
2020065801.tif 000003
【図２】
2020065801.tif 000004
【図３】
2020065801.tif 000005
【図４】
2020065801.tif 000006
【図５】
2020065801.tif 000007
【図６】
2020065801.tif 000008
【図７】
2020065801.tif 000009
【図８】
2020065801.tif 000010